(57)【要約】【課題】  舗装機本体の後端から路面上に供給された舗装材がスプレッディングスクリュによって外側方に拡げられた時に、舗装材本体の後端両側部と舗装幅員を設定するサイドプレートの前端との間の隙間から舗装材が外部に漏出するのを防止する。【解決手段】  舗装機本体Ａの後端両側部に舗装材漏出防止プレート6A、6Bの前端を左右方向に回動自在に取付けると共にこれらの左右漏出防止プレート6A、6Bの後端を左右スクリード1A、1Bの外側面から前方に突出しているサイドプレート2A、2Bの前端部内側面にそれぞれ当接させて、舗装機本体Ａの後端両側部とサイドプレート2A、2Bの前端との間の隙間を全面的に閉止し、舗装材Ｂが外部に漏出するのを防止すると共に、後方に向かって外側方に傾斜するこれらの漏出防止プレート6A、6Bの対向内側面に沿って舗装材Ｂを拡散させるようにする。【選択図】    図１
2005083034.tif 000002
【特許請求の範囲】
【請求項１】
舗装機本体の後方下部に左右一対のスクリードを舗装幅員方向に拡縮自在に配設していると共にこれらのスクリードの外側端面に前方に向かって舗装幅員を設定するためのサイドプレートをそれぞれ取り付けてなるスクリード装置において、舗装機本体の後端における両側端に舗装材の漏出防止プレートの前端部を左右方向に回動自在に支持し、これらの漏出防止プレートの後端を上記左右のサイドプレートの対向内側面の前端部に当接させていることを特徴とする舗装機におけるスクリード装置。
【請求項２】
左右の漏出防止プレートは、対向する内側面を舗装機本体の後端両側部に回動自在に支持されている前端からサイドプレートと当接する後端に向かって外側方に傾斜した傾斜面に形成していることを特徴とする請求項１に記載の舗装機におけるスクリード装置。
【発明の詳細な説明】
【技術分野】
【０００１】
本発明は舗装すべき道路の幅員に応じて拡縮可能なスクリードを備えた舗装機におけるスクリード装置に関するものである。
【背景技術】
【０００２】
アスファルトフィニッシャ等の舗装機は、舗装機本体上に設置しているホッパに投入されたアスファルト合材（以下、舗装材という）を該ホッパの排出口の下方に配設しているバーコンベア等の搬送手段によって後方に送り出し、車体の後方端において路面上に落下した舗装材をスプレッディングスクリュによって幅方向に拡げながらスクリードによって平らに均すように構成されている。
【０００３】
このように構成した舗装機において、道路幅に応じた舗装を可能にするために従来から、舗装機本体の後方下部に上記スクリードを一対、舗装幅員方向に拡縮自在に配設すると共に、これらのスクリードの外側端面に前方に向かってサイドプレートを固着し、水平搬送装置によって路面上に投下された舗装材をスプレッディングスクリュによって幅方向に拡散しながら左右のサイドプレートの対向面間でそれ以上の拡がりを規制してこれらのサイドプレート間の幅員に応じた舗装を行っている（例えば、特許文献１参照）。
【０００４】
【特許文献１】特開平１０−８８５１５号公報（第３〜４頁、第１図）。
【発明の開示】
【発明が解決しようとする課題】
【０００５】
しかしながら、上記のような舗装機の構成では、バーコンベア等の搬送手段によってスプレッディングスクリュに多量の舗装材が供給された状態になると、該スプレッディングスクリュによって拡げられた舗装材が該スプレッディングスクリュとスクリードのサイドプレートとの隙間から前方に漏出し、この状態に舗装機を前進させると、舗装材がサイドプレートからはみ出して舗装後、はみ出した舗装材を掃除しなければならないという問題点がある。
【０００６】
このため、舗装材のはみ出し防止装置ではないが、上記参考文献１には、舗装機本体の後端部両側面から外側方に向かって上記スプレッディングスクリュの前方側を覆うガード体を突設してこのガード体により作業員がスプレッディングスクリュに巻き込まれたりするのを防止する装置が記載されている。この装置によれば、スプレッディングスクリュによって幅方向に拡散する舗装材の一部をそのガード体の後面によって受止して前方への漏出を防止することができるが、ガード体の外端はスクリードのサイドプレートの前端よりも前方に位置していて両者の間に隙間が設けられているために、少なくなるかも知れないが、この隙間から舗装材が外部に漏出することには変わらない。
【０００７】
さらに、ガード体はアクチュエータによって路幅方向に伸縮する補助ガードを備えていて左右のスクリードを舗装幅員方向に伸縮させる幅に応じてこの補助ガードを同一幅だけ伸縮可能にしているために、構造が複雑化して高価につくばかりでなく、補助ガードの先端が何等支持されていない自由端となっているために、舗装材からの圧力によって前方に撓み、舗装材が漏出するばかりでなく補助ガードが曲損する虞れが生じるといった問題点がある。
【０００８】
本発明はこのような問題点に鑑みてなされたもので、その目的とするところは、簡単な構造によって左右のスクリードから前方に延出しているサイドプレートの前端と舗装機本体の後端両側部との間の隙間を、左右のスクリードの舗装幅員方向の拡縮動作に自動的に追随しながら常に全面的に閉止し、舗装材の漏出を確実に防止することができる舗装機におけるスクリード装置を提供するにある。
【課題を解決するための手段】
【０００９】
上記目的を達成するために、本発明の舗装機におけるスクリード装置は、請求項１に記載したように、舗装機本体の後方下部に左右一対のスクリードを舗装幅員方向に拡縮自在に配設していると共にこれらのスクリードの外側端面に前方に向かって舗装幅員を設定するためのサイドプレートをそれぞれ取り付けてなるスクリード装置において、舗装機本体の後端における両側端に舗装材の漏出防止プレートの前端部を左右方向に回動自在に支持し、これらの漏出防止プレートの後端を上記左右のサイドプレートの対向内側面の前端部に当接させている構造を有する。
【００１０】
このように構成した舗装機におけるスクリード装置において、請求項２に係る発明は、上記漏出防止プレートの対向する内側面を、舗装機本体の後端両側部に回動自在に支持されている前端からサイドプレートと当接する後端に向かって外側方に傾斜した傾斜面に形成していることを特徴とする。
【発明の効果】
【００１１】
以上のように本発明の舗装機におけるスクリード装置によれば、請求項１に記載したように、舗装機本体の後方下部に左右一対のスクリードを舗装幅員方向に拡縮自在に配設していると共にこれらのスクリートの外側端面に前方に向かって舗装幅員を設定するためのサイドプレートをそれぞれ取り付けてなるスクリート装置において、舗装機本体の後端における両側端に舗装材の漏出防止プレートの前端部を左右方向に回動自在に支持し、これらの漏出防止プレートの後端を上記左右のサイドプレートの対向内側面の前端部に当接させているので、この漏出防止プレートによって舗装機本体の後端両側部とスクリードにおけるサイドプレートの前端部間の隙間を閉止させておくことができ、従って、舗装機本体の後端から左右のスクリードのサイドプレート間の路面に多量の舗装材が供給されても、この漏出防止プレートによって舗装材がサイドプレート外に漏出するのを防止することができる。
【００１２】
さらに、舗装機本体における左右のスクリードを路幅方向に拡縮させても、上記漏出防止プレートは、その内側面に、スプレッディングスクリュートによって外側方に拡げられる舗装材からの押圧力が作用してその後端を常に左右のサイドプレートの後端部対向内側面に当接させた状態を維持しながら左右のスクリードの拡縮動作に自動的に追随して内外方向（左右方向）に回動し、サイドプレートとの間に隙間を生じさせることなく所定幅員を有する道路を正確且つ円滑に舗装することができる。
【００１３】
また、請求項２に係る発明によれば、上記左右の漏出防止プレートの対向する内側面を舗装機本体の後端両側部に回動自在に支持されている前端からサイドプレートと当接する後端に向かって外側方に傾斜した傾斜面に形成しているので、この傾斜面をガイドとして舗装材を後方に移動させながらサイドプレートの対向面間の路面上に拡散、充満させることができ、従って、舗装機本体からサイドプレート間に供給される舗装材の量を調整する負担を大幅に軽減でき、熟練者でなくても円滑に能率よく舗装作業を行うことができる。
【発明を実施するための最良の形態】
【００１４】
次に、本発明の実施の形態を図面について説明すると、図１〜図３において、舗装機本体Ａの後方下部には、該舗装機本体Ａの機体幅と同等又は僅かに狭い幅を有する中央スクリード１が配設されてあり、この中央スクリード１の後面側には舗装機本体Ａの機軸線に対して左右対称にして一対のスクリード1A、1Bを道路の舗装幅員方向に拡縮自在に配設していると共に、これらの左右スクリード1A、1Bの外側端面に、前方に向かって垂直な側板からなるサイドプレート2A、2Bをそれぞれ取付けてスクリード装置を構成している。
【００１５】
上記中央及び左右のスクリード１、1A、1Bは、金属板によってボックス形状に形成されてあり、その底面に前端縁部を上方に向かってそり状に湾曲させてなる底面板を固着して舗装材Ｂを圧締めするスクリードプレート1'を形成している。中央スクリード１に支持フレーム３を固定されている一方、左右のスクリード1A、1Bは、その垂直な前面を上記支持フレーム３の垂直な後面に左右方向に、即ち、路幅方向に拡縮自在に支持されている。
【００１６】
また、上記支持フレーム３は、図５、図６に示すように、舗装機本体Ａの両側面に前端部を上下回動自在に枢着された左右アーム部材10、10の後端にアタック角調整手段11を介して吊支状態に支持されてあり、このアタック角調整手段11によってスクリード装置のアタック角を調整し、結果としてスクリード全体を上下させるように構成している。なお、このようなアタック角調整手段11の他に図５に示すように、左右アーム部材10の先端に取付ける油圧シリンダ等の公知の機構の採用も可能である。さらに、上記左右アーム部材10、10は油圧シリンダ12を介して舗装機本体Ａに支持されている。
【００１７】
上記左右のスクリード1A、1Bを路幅方向（舗装幅員方向）に移動させて路幅を拡縮させる手段としては、周知のように、これらのスクリード1A、1B内に上下一対の油圧シリンダ4A、4A：4B、4Bをそれぞれ路幅方向に向けた水平状態に配設してこれらの油圧シリンダ4A、4A：4B、4Bの外側端面を左右のスクリード1A、1Bの垂直な外側板1a、1bの内側面に固着している一方、これらの油圧シリンダ4A、4A：4B、4Bのロッド端部を上記支持フレーム３の垂直な後面に固定金具5A、5Bを介してそれぞれ固定している。従って、これらの油圧シリンダ4A、4A：4B、4Bを作動させると、ロッド端部を支点としてシリンダ部が舗装幅員方向に伸縮してスクリード1A、1B間の幅が拡縮する。
【００１８】
一方、左右のサイドプレート2A、2Bは所定高さと前後幅を有する側面横長長方形状の金属板からなり、その下端縁にそり部2'を形成している。左右のスクリード1A、1Bに対するこれらのサイドプレート2A、2Bの取付構造は、左右のスクリード1A、1Bの外側面における下端部に水平支持部材13、13の後端部を固着し、この水平支持部材13、13の前後部に貫通、支持されている前後垂直ガイド棒14、14の上下端部をサイドプレート2A、2Bに突設しているブラケット体15、15に固着してサイドプレート2A、2Bを前後垂直ガイド棒14、14を介して水平支持部材13、13に上下移動自在に配設していると共に、水平支持部材13、13の上端面中央部に垂直螺子棒16の下端部を回転自在に連結し、この垂直螺子棒16をサイドプレート2A、2Bの外側面上端中央部に固着したナット体17を螺通させて、このナット体17から上方に突出している突出端部にハンドル体18を装着した構造としている。
【００１９】
従って、左右のサイドプレート2A、2Bはそれぞれ垂直螺子棒16とナット体17によって水平支持部材13、13に支持されていると共に、ハンドル体18を回転操作することによって左右のサイドプレート2A、2Bを前後垂直ガイド棒14、14を介して上下方向に移動させてそのそり部2'、2'をスクリード１、1A、1Bのスクリードプレート1'よりも下方において、路面に摺接または近接させるように構成している。
【００２０】
これらのサイドプレート2A、2Bはその後端を左右のスクリード1A、1Bにおける外側板1a、1bの前端下半部に重ね合わせてあり、該後端から互いに平行にして左右のスクリード1A、1Bを前方に延長する方向に配設されていると共に、その前端を舗装機本体Ａの後端近接位置に臨ませている。
【００２１】
さらに、舗装機本体Ａの後端における両側端部には、後方に向かって高さが上記サイドプレート2A、2Bよりも高く且つ下端が路面に接触若しくは近接する側面矩形状の舗装材漏出防止プレート6A、6Bが配設されている。詳しくは、これらの舗装材漏出防止プレート6A、6Bは、その前端部を蝶番19、19によって舗装機本体Ａの後端における両側端部に左右方向（内外方向）に回動自在に取付けられていると共に、その後端を上端から下端に亘って上記左右のサイドプレート2A、2Bの対向内側面における前端部に当接させ、舗装機本体Ａの後端における両側端部と左右サイドプレート2A、2Bの後端との間に形成される隙間Ｃ、Ｃをそれぞれ全面的に閉止するように構成している。
【００２２】
これらの舗装材漏出防止プレート6A、6Bは、図４に示すように金属板61の内側面下端部にゴム板を上下移動調整可能に取付けてその下端部を金属板61の下端から下方に突出させてなり、また、前端部を内側方に向かってく字状に屈折させて内側から外側に向かっての耐圧強度を増大させ、舗装時にサイドプレート2A、2B間に充満させた多量の舗装材からの押圧力に耐えるように形成している。さらに、これらの舗装材漏出防止プレート6A、6Bは、蝶番部に巻装したスプリング7A、7Bによってそれぞれ常時外側方に回動する方向に付勢されていて、後端をサイドプレート2A、2Bの前端部内側面に常に圧接させていると共に、左右のスクリード1A、1Bが機体幅よりも外側方に伸長した状態においては、対向する内側面がサイドプレート2A、2Bの当接後端部から前端、即ち、舗装機本体Ａの後端における両側端に向かってそれぞれ内側方に傾斜した傾斜面を形成するように構成している。
【００２３】
なお、上記舗装材漏出防止プレート6A、6Bは、スプレッディングスクリュ８によって外側方に拡げられる舗装材からの押圧力によって常に、外側に回動する方向に付勢されるので、上述したスプリング7A、7Bは必ずしも設けておく必要はない。
【００２４】
舗装機本体Ａの後端における下部中央には、長さが舗装機本体Ａの機体幅よりも短いスプレッディングスクリュ８がその長さを路幅方向に向けて回転自在に支持されている一方、舗装機本体Ａの車体上には、図５に示すように、アスファルト合材等の舗装材Ｂを収容するホッパ20が設置されてあり、さらに、このホッパ10の開放下端にバーコンベア等のコンベア21の搬送上面における前端部を臨ませていると共にこのコンベア21の搬送終端部を舗装機本体Ａの後端から上記スプレッディングスクリュ８上に臨ませている。
【００２５】
このように構成したので、舗装作業を行う際に、舗装機本体Ａの両側面に前端部を上下回動自在に枢着された左右アーム部材10、10をトアタック角調整手段11によって下方に回動させてスクリート装置全体を降下させることにより、路面に対する中央スクリード１と左右のスクリード1A、1Bとのスクリードプレート1'の高さを舗装厚に調整すると共に、油圧シリンダ4A、4A：4B、4Bを作動させて、左右のスクリード1A、1Bに取付けているサイドプレート2A、2B間の幅を舗装幅員に設定し、さらに、サイドプレート2A、2Bを下降させてその下端そり部2'、2'を路面に接近又は近接させた状態にする。又、漏出防止プレート6A、6Bのゴム板62の下端が路面に接した状態となるように調整しておく。
【００２６】
なお、左右のスクリード1A、1Bをサイドプレート2A、2B間が最大幅となるまで伸長、拡大させても、これらのスクリード1A、1Bの内側端部は中央のスクリード１の両外側端部にそれぞれ正面からみて重複した状態を維持し、舗装材Ｂを全幅に亘って均すことができるように構成している。
【００２７】
次いで、舗装機本体Ａの車台上に設置しているホッパ20内にアスファルト合材等の舗装材Ｂを投入したのち、該ホッパ20の開口下端からバーコンベア等のコンベア21上に舗装材Ｂを供給し、このコンベア21によって舗装材Ｂを後方に搬送してその搬送終端から路面上に排出すると、舗装材Ｂはスプレッディングスクリュ８によって外側方に拡げられると共に、左右のサイドプレート2A、2Bによってそれ以上、外側方に拡げられるのを阻止され、これらのサイドプレート2A、2B間の路面上に充満した状態となる。
【００２８】
この状態にして、舗装機本体Ａを前方に徐行させると、舗装材Ｂは上記左右のサイドプレート2A、2Bによって設定された幅でもって主スクリード１と左右のスクリード1A、1Bとのスクリードプレート1'と路面間を通過して路面に所定厚さの舗装が行われるものである。
【００２９】
この舗装作業中に、コンベア21から多量の舗装材Ｂが路面上に供給されると、スプレッディングスクリュ８によって外側方に拡げられる舗装材Ｂが舗装機本体Ａの両側後端と左右のサイドプレート2A、2Bの前端間の隙間Ｃ、Ｃから外部に漏出しようとするが、これらの隙間Ｃ、Ｃは舗装材漏出防止プレート6A、6Bによってそれぞれ全面的に閉止されているので外部に漏出することはない。
【００３０】
即ち、スプレッディングスクリュ８によって外側方に拡げられた舗装材Ｂが舗装材漏出防止プレート6A、6Bの内側面に押当すると、これらの舗装材漏出防止プレート6A、6Bの後端が左右のサイドプレート2A、2Bの前端部対向面に強く当接した状態を保持してそれ以上外側方に回動することなく舗装材Ｂを受止し、後方に向かって外側方に傾斜しているその傾斜内側面によって舗装材Ｂを左右のサイドプレート2A、2B側に移動させてこれらのサイドプレート2A、2B間の路面上に充満させる。
【００３１】
また、舗装中等において、左右のスクリード1A、1Bを油圧シリンダ4A、4A：4B、4Bによって縮小させて舗装幅を小さくした場合、これらのスクリード1A、1Bと一体のサイドプレート2A、2Bが内側方に向かって移動して該サイドプレート2A、2Bの前端部内側面に後端を当接させている左右の漏出防止プレート6A、6Bは、スクリード1A、1Bの縮小に同調して舗装機本体Ａの後端両側部の蝶番19、19を支点として舗装材Ｂからの押圧力に抗しながら内側方に回動し、その後端をサイドプレート2A、2Bの内側面に当接させた状態を維持して舗装材Ｂを外部に漏出させることはない。
【００３２】
同様に、舗装中等において左右のスクリード1A、1Bを油圧シリンダ4A、4A：4B、4Bによって拡張させて舗装幅を大きくした場合、これらのスクリード1A、1Bと一体のサイドプレート2A、2Bが外側方に移動すると共に、左右の漏出防止プレート6A、6Bは、スプレッディングスクリュ８によって両外側方に拡げられる舗装材Ｂからの押圧力で、その後端を常に左右のサイドプレート2A、2Bの後端部対向内側面に当接させられた状態を維持し、舗装材Ｂを外部に漏出させることはない。そして、いずれの場合においても、前端から後端に向かって傾斜している左右の漏出防止プレート6A、6Bの内側面に接して舗装材Ｂが左右のサイドプレート2A、2B間に拡げられて、所定幅、所定厚みの幅員を有する道路を舗装することができる。
【００３３】
なお、以上の実施の形態においては、舗装機本体Ａの後端に中央スクリード１を設けてこの中央スクリード１の後面両側部に左右のスクリード1A、1Bを内外方向に拡縮自在に配設しているが、上記中央スクリード１を設けることなく、舗装機本体Ａの機幅と同等もしくはやや短い幅（長さ）を有する左右一対のスクリードを舗装機本体Ａの後端側に前後に重ね合わせた状態に配設し、これらの左右スクリードを油圧シリンダによって路幅方向に拡縮させるように構成しておいてもよい。
【００３４】
以上のように、舗装材の漏出防止プレート6A、6Bは、その前端部を舗装機本体Ａの後端における両側端に左右方向に回動自在に支持させていると共に後端を左右のスクリード1A、1Bにおけるサイドプレート2A、2Bの対向内側面に当接させているから、この漏出防止プレート6A、6Bによって舗装機本体Ａの後端両側部とスクリード1A、1Bにおけるサイドプレート2A、2Bの前端部間の隙間が閉止された構造となる。従って、舗装機本体Ａの後端から左右のスクリード1A、1Bのサイドプレート2A、2B間の路面に投入された多量の舗装材Ｂが、舗装機本体Ａの後端下方部に配設しているスプレッディングスクリュ８によって外側方に拡げられてサイドプレート2A、2B間に充満しても、この漏出防止プレート6A、6Bによって舗装材Ｂがサイドプレート2A、2B外に漏出するのを防止される。
【００３５】
さらに、舗装機本体Ａにおける左右のスクリード1A、1Bを路幅に応じて拡縮させても、上記漏出防止プレート6A、6Bは、スプレッディングスクリュ８によって外側方に拡げられる舗装材Ｂからの押圧力により、その後端を常に左右のサイドプレート2A、2Bの後端部対向内側面に当接させられた形態を維持し、サイドプレート2A、2Bとの間に隙間が生じる虞れもない。
【００３６】
また、上記漏出防止プレート6A、6Bをスプリング力によって常時外側方に回動する方向に付勢しておいてもよく、この場合は、舗装機本体Ａにおける左右のスクリードを路幅に応じて拡縮させても、これらの漏出防止プレートの後端を左右のスクリード1A、1Bにおけるサイドプレート2A、2Bの対向内側面に常に圧接させておくことができ、上記同様に、左右のスクリード1A、1Bの拡縮動作に自動的に追随しながら内外方向（左右方向）に回動して舗装機本体Ａの後端両側部とスクリード1A、1Bにおけるサイドプレート2A、2Bの前端部間の隙間を閉止させておくことができる。
【００３７】
その上、左右の漏出防止プレート6A、6Bの対向する内側面を舗装機本体Ａの後端両側部に回動自在に支持されている前端からサイドプレート2A、2Bと当接する後端に向かって外側方に傾斜した傾斜面に形成しているので、左右のスクリード1A、1Bにおけるサイドプレート2A、2B間に充満した舗装材Ｂによって押圧力を受けても、漏出防止プレート6A、6Bの後端がその押圧力によってサイドプレート2A、2Bの内側面に一層強固に圧着し、サイドプレート2A、2Bから離脱することがないのは勿論、舗装材Ｂが漏出防止プレート6A、6Bから溢れ出ることなくこれらの漏出防止プレート6A、6Bの傾斜した内側面をガイド面としてサイドプレート2A、2B間側に舗装材Ｂを移動させ、これらのサイドプレート2A、2B間に充満させることができる。そのため、舗装機本体Ａからサイドプレート2A、2B間に供給される舗装材Ｂの量を殆ど調整する必要はなく、熟練者でなくても円滑に舗装作業を行うことができる。
【図面の簡単な説明】
【００３８】
【図１】スクリード装置の左右のスクリードを拡張させた状態の簡略平面図である。
【図２】スクリード装置の左右のスクリードを収縮させた状態の簡略平面図である。
【図３】スクリードの配設状態を示す簡略平面図である。
【図４】漏出防止プレートの斜視図である。
【図５】舗装機全体の簡略側面図である。
【図６】そのスクリード装置部分の側面図である。
【符号の説明】
【００３９】
Ａ  舗装機本体
Ｂ  舗装材
１  中央スクリード
1A、1B  スクリード
2A、2B  サイドプレート
4A、4B  油圧シリンダ
6A、6B  漏出防止プレート
【図１】
2005083034.tif 000003
【図２】
2005083034.tif 000004
【図３】
2005083034.tif 000005
【図４】
2005083034.tif 000006
【図５】
2005083034.tif 000007
【図６】
2005083034.tif 000008